(57)【特許請求の範囲】
【請求項１】
配管における肉厚測定用センサ検知部の肉厚測定すべき位置を特定するために用いられるマーキング用テンプレートであって、
上記センサ検知部の大きさに対応した大きさに開口された円穴と、
板内に、上記円穴の中心を交点として直交する２本の直線を中心線とした少なくとも２箇所以上切れ込まれた長溝とを備え、
最初の測定作業において、上記配管表面の所定の肉厚測定すべき位置に上記円穴を当てて、当該配管表面上に上記長溝に対応する直線形状のマークを施し、
次回以降の作業においては、前記直線形状のマークと上記長溝とを合わせて、上記円穴の位置を前回の肉厚測定すべき位置とする使用方法で用いられる
マーキング用テンプレート。
【請求項２】
上記長溝は、上記円穴の中心を交点として直交する２本の直線を中心線として３箇所または４箇所切り込まれた、
請求項１に記載のマーキング用テンプレート。
【請求項３】
さらに、上記マーキング用テンプレートに、上記配管表面に付着可能な磁石が設けられた、
請求項１又は２に記載のマーキング用テンプレート。
【請求項４】
配管における肉厚測定用センサ検知部の肉厚測定すべき位置を特定するために用いられるマーキング用テンプレートの使用方法であって、
上記マーキング用テンプレートは、センサ検知部の大きさに対応した大きさに開口された円穴と、板内に、上記円穴の中心を交点として直交する２本の直線を中心線とした少なくとも２箇所以上切れ込まれた長溝とを備え、
最初の測定作業において、上記配管表面の所定の肉厚測定すべき位置の中心に上記円穴を当てて、当該配管表面上に上記長溝に対応する直線形状のマークを施すステップと、
次回以降の作業においては、前記直線形状のマークと上記長溝とを合わせて、上記円穴の位置を前回の肉厚測定すべき位置とするステップと
を備える使用方法。
【発明の詳細な説明】
【技術分野】
【０００１】
本発明は、テンプレート、その使用方法に関し、詳しくは、肉厚測定用センサ検知部の肉厚測定位置をマーキングするために用いられるマーキング用テンプレート、その使用方法に関する。
【背景技術】
【０００２】
例えば、原子力発電所等に設置されている、高温高圧の水または蒸気を扱う配管は、長年使用していると、配管内部の流体の衝突など物理的または機械的な作用による浸食（エロージョンとも称する）や電気化学的作用による腐食（コロージョンとも称する）が発生し、配管の肉厚が経年的に減少する。
【０００３】
配管の肉厚が減少すると、減少した肉厚に内部流体の負荷がかかりやすくなり、配管自体が破損しやすくなるため、継続的な配管の肉厚測定、すなわち経年監視は当該破損の時期を予め予測するためにも重要な作業である。
【０００４】
上記配管の肉厚を測定する方法としては、ノギスやゲージによって切断した配管の肉厚を測定する破壊検査方法と、超音波を利用して測定する非破壊検査方法とが知られている。上記破壊検査方法は、配管を切断するため正確な肉厚を測定できるものの、経年監視を行なう場合は現実的ではなく、経年監視に関する肉厚測定方法は、主に非破壊検査方法が実施されている。
【０００５】
この非破壊検査方法は、配管を破壊せずに簡単に配管の肉厚を測定できるものの、センサ検知部である超音波探触子を接触する肉厚測定位置のズレによって、肉厚の測定誤差が生じやすく、精度のよい肉厚測定が困難であるという問題があった。
【０００６】
そこで、例えば、特開平６−２５８０６３号公報（特許文献1）では、被測定物の肉厚測定位置に対応した位置に設けられトランスデューサが係合する複数の係合部を有し、上記被測定物に吸着されるマグネットシートを備えていることを特徴とするトランスデューサ用測定治具が開示されている。上記構成により、トランスデューサを正確な位置で正確な方向に向けてから測定可能となるため、トランスデューサによる測定精度を向上させ、測定時間の短縮化が可能となるとしている。
【０００７】
さらに、特開平１０−２６９０３３号公報（特許文献２）では、超音波探触子を搭載したスライダを円環状のレール上に配置し、超音波エコーを用いて配管の肉厚を測定するが、接触状態が不良と判定された箇所に対して、超音波探触子の姿勢と超音波エコーの特徴量から超音波探触子の姿勢を再調整して不良箇所の肉厚測定を行う配管診断装置が開示されている。上記構成により、超音波探触子の姿勢を修正することにより、正確に測定できなかった点の測定を可能にし、測定精度の向上を図ることが可能になるとしている。
【０００８】
また、特開平２０００−３４６６３２号公報（特許文献３）では、超音波探触子を回転自在に保持する探触子治具と、永久磁石で構成したローラを有するローラ機構部と、旋回用牽引ワイヤとを備えた配管の肉厚測定装置が開示されている。上記構成により、狭隘な環境に設置された小口径配管の肉厚を非破壊で効率的に精度よく測定可能となるとしている。
【特許文献１】特開２００１−３２６９５１号公報
【特許文献２】特開平１０−２６９０３３号公報
【特許文献３】特開平２０００−３４６６３２号公報
【発明の開示】
【発明が解決しようとする課題】
【０００９】
しかし、特許文献１に記載の技術では、複数の係合部を有しているため、マグネットシートが長尺となり、配管に巻きつけることが煩わしく、簡単に肉厚測定位置を特定することができないという問題があった。
【００１０】
また、特許文献２と特許文献３に記載の技術では、測定精度が高いものの、超音波探触子を搭載するスライダや探触子治具などが超音波探触子とは別個に必要であり、非常にコストが高いという問題があった。
【００１１】
さらに、超音波探触子を用いて配管の肉厚測定を実施する場合、超音波探触子の信号対雑音比を改善し、肉厚の測定誤差を最小限とするために、ソニコートといわれる防錆剤を兼ねた超音波接触媒質を肉厚測定位置に塗布することとなるが、上記特許技術１から３に記載の技術では、上記超音波接触媒質の塗布を行なってから肉厚測定を実施することは手間のかかる作業となり、簡単に肉厚測定作業を行なうことができないという問題があった。
【００１２】
そこで、本発明は、上記問題を解決するためになされたものであり、肉厚測定用センサ検知部の測定位置をマーキングするために用いられるマーキング用テンプレート、その使用方法を提供するものである。
【課題を解決するための手段】
【００１３】
上述した課題を解決し、目的を達成するために、本発明に係るマーキング用テンプレートは、配管における肉厚測定用センサ検知部の肉厚測定すべき位置を特定するために用いられるマーキング用テンプレートであって、上記センサ検知部の大きさに対応した大きさに開口された円穴と、板内に、上記円穴の中心を交点として直交する２本の直線を中心線とした少なくとも２箇所以上切れ込まれた長溝とを備え、最初の測定作業において、上記配管表面の所定の肉厚測定すべき位置に上記円穴を当てて、当該配管表面上に上記長溝に対応する直線形状のマークを施し、次回以降の作業においては、前記直線形状のマークと上記長溝とを合わせて、上記円穴の位置を前回の肉厚測定すべき位置とする使用方法で用いられる。
【００１４】
また、可撓性部材もしくは透明性部材で成形される。
【００１５】
また、上記長溝は、上記円穴の中心を交点として直交する２本の直線を中心線として３箇所または４箇所切り込まれる。
【００１６】
さらに、上記マーキング用テンプレートに、被測定物に付着可能な磁石が設けられる。又、配管における肉厚測定用センサ検知部の肉厚測定すべき位置を特定するために用いられるマーキング用テンプレートの使用方法であって、上記マーキング用テンプレートは、センサ検知部の大きさに対応した大きさに開口された円穴と、板内に、上記円穴の中心を交点として直交する２本の直線を中心線とした少なくとも２箇所以上切れ込まれた長溝とを備え、最初の測定作業において、上記配管表面の所定の肉厚測定すべき位置の中心に上記円穴を当てて、当該配管表面上に上記長溝に対応する直線形状のマークを施すステップと、次回以降の作業においては、前記直線形状のマークと上記長溝とを合わせて、上記円穴の位置を前回の肉厚測定すべき位置とするステップとを備える。
【発明の効果】
【００１７】
本発明のマーキング用テンプレートによれば、配管における肉厚測定用センサ検知部の肉厚測定すべき位置を特定するために用いられるマーキング用テンプレートであって、上記センサ検知部の大きさに対応した大きさに開口された円穴と、板内に、上記円穴の中心を交点として直交する２本の直線を中心線とした少なくとも２箇所以上切れ込まれた長溝とを備え、最初の測定作業において、上記配管表面の所定の肉厚測定すべき位置に上記円穴を当てて、当該配管表面上に上記長溝に対応する直線形状のマークを施し、次回以降の作業においては、前記直線形状のマークと上記長溝とを合わせて、上記円穴の位置を前回の肉厚測定すべき位置とする使用方法で用いられるよう構成している。
【００１８】
これにより、配管の肉厚測定作業を行なう際に、所定の肉厚測定位置の中心に円穴を当てて配管表面上に長溝に対応するマークを施せば、マーキング用テンプレートを配管表面上に何度脱着しても一度マークを施した位置に正確に静置することが可能となる。つまり、上記所定の肉厚測定位置に、ズレが生じることなく、円穴が正確に当てられることとなる。そのため、円穴に対応した円状のマークや超音波接触媒質、錆止め剤などを塗布したり拭き取ったりする作業を何度行なっても、肉厚測定位置は同一の位置に特定され、配管の肉厚測定作業でも、精度の高い肉厚測定結果を得ることが可能となる。その結果、所定期間経過したり、測定者が変更したりしても、配管の肉厚測定精度を低下させることなく経年監視を継続することが可能となる。さらに、マーキング用テンプレートは構造が簡単であるため、コストがかかることもない。又、本発明に係るマーキング用テンプレートの使用方法であっても、同様である。
【００１９】
また、可撓性部材もしくは透明性部材で成形される。
【００２０】
これにより、マーキング用テンプレートを配管表面に当てる場合、マーキング用テンプレートの可撓性によってテンプレートを撓めて、配管表面の曲面と合致させ、マーキング作業を行なうことが可能となる。また、マークを施す場合、マーキング用テンプレートの透明性によって配管表面をマーキング用テンプレートを介して視認することが可能となり、ズレなく、円滑にマーキング作業を進めることができる。
【００２１】
また、上記長溝は、上記円穴の中心を交点として直交する２本の直線を中心線として３箇所または４箇所切り込まれるよう構成している。
【００２２】
これにより、円穴の中心を正確に特定させるための長溝は、必要最小限の数で足りることとなる。そのため、上記長溝を設けるためのテンプレート板の形状も必要最小限の形状となるとともに、配管にマークを施す作業も少なくて済むこととなる。その結果、配管の肉厚測定精度を低下させることなく、容易かつ迅速に肉厚測定作業を進めることが可能となる。また、テンプレート板の形状が必要最小限の形状でよいため、無駄に大きくならずに、簡単に持ち運ぶことができる。
【００２３】
さらに、上記マーキング用テンプレートに、被測定物に付着可能な磁石が設けられるよう構成している。
【００２４】
これにより、マークを施す作業を行なう場合、マーキング用テンプレートを配管表面上に付着させれば、肉厚測定位置がずれることなく両手を用いて当該作業を進めることが可能となる。そのため、従来から行なわれていた作業、すなわち、一方の片手でマーキング用テンプレートを配管表面上に当てながら他方の片手でマークを施すという不自由な作業から解放されることとなり、マークミスが生じることなく、肉厚測定位置がずれることによって生じる測定誤差も生じることはない。
【００２５】
上記マーキング用テンプレートは、同一の位置に何度もマーキングを施す配管の肉厚測定作業に使用すると、精度高く同一の位置を特定することが可能となるため、特に有効である。
【発明を実施するための最良の形態】
【００２６】
以下に本発明に係るマーキング用テンプレート、その使用方法の実施の形態を図面に基づき詳細に説明するが、本発明はこれに限定されるものではない。
（第一の実施の形態）
図１は本発明の第一の実施形態を示す平面図である。
【００２７】
マーキング用テンプレート１０は、十字状翼を供えた可撓性を有する透明板の中央にセンサ検知部の大きさに対応する円穴１１が設けられ、また、十字の各翼の部分には、上記円穴の中心を交点として直交する２本の直線を中心線とする長溝１２が設けられている。更に、上記円穴１１の中心に対向する２つの位置に、配管表面に付着可能な磁石１３が設けられている。
【００２８】
次に、上記マーキング用テンプレート１０の使用方法について説明する。図２、図３は、第一の実施形態のマーキング用テンプレートを使用する状態を示したものである。
【００２９】
図２Ａに示すように、最初、配管の肉厚測定すべき位置に円穴１１が当たるようにマーキング用テンプレート１０を配管表面１上に置き、マーキング用テンプレート１０の長溝１２にマーキング用ペン２を沿わせて、直線形状のマーク３を配管表面１上に４箇所描く。続いて、マーキング用テンプレート１０を外してから、グラインダ又は溶剤によって、肉厚測定すべき位置に予め塗布されている錆止め剤や塗料、錆を除去し、再度、直線形状のマーク３と長溝１２とを合わせて、マーキング用テンプレート１０を配管表面１上に静置する。そうすると、最初に直線形状のマーク３を付した位置にマーキング用テンプレート１０がずれることなく、円穴１１が肉厚測定すべき位置に正確に重なることとなる。
【００３０】
また、マーキング用テンプレート１０に備えられた磁石１３が配管表面１上に固定されるので、多少、直線形状のマーク３と長溝１２とが若干ずれたとしても、容易に修正して、円穴１１を肉厚測定すべき位置に正確に合わせることが可能となる。
【００３１】
円穴１１と肉厚測定すべき位置とが合わさると、センサ検知部の縁と同等の大きさを有するセンサ検知部用ペン４を当該円穴１１の縁に当て、円状のマーク５を配管表面１上に記す。上記円状のマーク５により、マーキング用テンプレート１０を配管表面１から外しても、配管の肉厚測定すべき位置を一見して認識することが可能となる。さらに、上記円状のマーク５にセンサ検知部６を当てた場合、当該センサ検知部６が円状のマーク５とずれていれば、センサ検知部６から円状のマーク５がはみ出て、そのずれを即時に視認することができるため、容易にセンサ検知部６の位置を修正することが可能となる。
【００３２】
さて、図２Ｂに示すように、マーキング用テンプレート１０を外して、上記円状のマーク５にソニコートを塗布してからセンサ検知部６を接触させ、配管の肉厚測定を実施する。肉厚測定後は、図３Ｃに示すように、再度直線形状のマーク３と長溝１２とを合わせてマーキング用テンプレート１０を配管上に置いて、マーキング用ペン２によって、円状のマーク５を塗りつぶし、前回肉厚測定した箇所が外観から視認可能となるようにする（図３Ｄ）。円状のマーク５以外の箇所で、かつ、配管表面１の錆止め剤が除去された箇所は、再度錆止め剤を塗布し、配管上の錆を防止する。
【００３３】
所定期間経過後に、前回肉厚測定した箇所を再度肉厚測定する場合は、塗りつぶした円状のマーク７と塗布された錆止め剤、錆とをグラインダ又は溶剤で取り除いてから、マーキング用テンプレート１０の長溝１２と直線形状のマーク３を利用して、前回肉厚測定した同一の位置に再度円状のマーク５を施し、肉厚測定を実施することとなる。
【００３４】
このように、上記円形のマーク５や超音波接触媒質、錆止め剤などを塗布したり拭き取ったりする作業を何度行なっても、マーキング用テンプレート１０を用いれば、当該肉厚測定位置は同一の位置に特定され、上記作業を含んだ配管の肉厚測定作業でも、精度の高い肉厚測定結果を得ることが可能となる。
（第二の実施の形態）
図４は本発明の第二の実施形態を示す平面図である。図５は、第二の実施形態のマーキング用テンプレートを使用する状態を示したものである。
【００３５】
第一の実施の形態と比較して、第二の実施の形態の異なる点は、十字状をＴ字状に変更した点である。上記Ｔ字状に変更することにより、長溝１２の数が３箇所に減少するものの、例えば、配管の縁８の周辺の肉厚測定を実行する場合は、図５Ｅに示すように、マーキング用テンプレート２０の翼が当該配管の縁７からはみ出ることなく、当該マーキング用テンプレート２０を配管表面１上に静置することが可能となる。そのため、はみ出たマーキング用テンプレートの翼が邪魔とならずに、正確なマーキングや肉厚測定を行うことが可能となる。
【００３６】
なお、第一、第二の実施の形態におけるマーキング用テンプレートでは、円穴１１をセンサ検知部６の大きさに一致するように設けたが、使用するセンサ検知部の大きさに対応した大きさに円穴１１を設けても構わない。例えば、センサ検知部６の種類によって、円形の大きさを調整しても、形状そのものを正方形等に変更しても構わない。
【００３７】
また、第一、第二の実施の形態におけるマーキング用テンプレートでは、長溝１２が設けられた位置に対応して、十字状またはＴ字状となるよう構成したが、その形状は配管の肉厚測定作業に用いるのに適当な形状であればよく、当該配管の肉厚測定作業の都合に応じて、円形、楕円形、正方形、長方形など種々の形状となるよう構成しても構わない。
【００３８】
また、第一、第二の実施の形態におけるマーキング用テンプレートでは、３箇所または４箇所長溝１２を設けているが、少なくとも２箇所以上設けられていれば、マーキング用テンプレートを前回置いた位置に静置することは可能である。例えば、２箇所の長溝の延長線が直交する位置に設けられると、マーキングプレートを前回置いた位置により正確に静置させることが可能となるので、好ましい。また、さらに長溝１２の数を増加させても構わない。長溝１２が増加すると、長溝１２を介して配管に直線形状のマーク３をする作業が増加するものの、円穴１１を精度高く肉厚測定位置に静置することが可能となる。
【００３９】
また、第一、第二の実施の形態におけるマーキング用テンプレートでは、長溝１２を所定の直線形状となるよう切り込んだが、当該所定の直線形状は、マーキング用テンプレートを配管表面１上に一意に静置することが可能となる形状であればよく、さらに、長さや幅等も配管の肉厚測定作業の都合、例えば、マーキング用ペン２の当てやすさ等に応じて変更しても構わない。
【００４０】
また、第一、第二の実施の形態におけるマーキング用テンプレートでは、所定の厚みで全面均一かつ平滑となるよう成形しているが、マーキング用テンプレートが配管表面１上にずれなく静置するよう撓みを付与して成形しても構わない。上記撓みによって、マーキング用テンプレートの一部が配管から離れることなく、配管表面１上に静置することが可能となるため、肉厚測定すべき位置に円状のマーク６や直線形状のマーク３を正確に付すことが可能となる。
【００４１】
また、第一、第二の実施の形態におけるマーキング用テンプレートでは、２箇所磁石１３を設けるよう構成したが、さらに磁石１３の数を増加させて、より強固にマーキング用テンプレートを配管表面１に固定させるよう構成しても構わない。例えば、長溝１２の設けられた翼の端部に長溝１２の数だけ上記磁石１３を設けると、それぞれの長溝１２が配管からずれることなく、直線形状のマーク３を付することが可能となり、精度よく肉厚測定位置を特定することができる。
【産業上の利用可能性】
【００４２】
以上のように、本発明にかかるマーキング用テンプレート、その使用方法は、定期的に配管の肉厚測定作業を行なう場合に有用であり、肉厚測定結果の精度を低下させることなく、安価な材料で、容易かつ迅速に配管の肉厚測定作業を行なうためのマーキング用テンプレート、その使用方法として有効である。
【図面の簡単な説明】
【００４３】
【図１】第一の実施形態のマーキング用テンプレートを示す平面図である。
【図２】第一の実施形態のマーキング用テンプレートの使用状態を示す第一の図である。
【図３】第一の実施形態のマーキング用テンプレートの使用状態を示す第二の図である。
【図４】第二の実施形態のマーキング用テンプレートを示す平面図である。
【図５】第二の実施形態のマーキング用テンプレートの使用状態を示す図である。
【符号の説明】
【００４４】
１０  十字形の形状を有するマーキング用テンプレート
１１  円穴
１２  長溝
１３  磁石
１  配管表面
２  マーキング用ペン
３  直線形状のマーク
４  検知部用ペン
５  円状のマーク
６  センサ検知部
７  塗りつぶされた円状のマーク
８  配管の縁
２０  Ｔ字形の形状を有するマーキング用テンプレート
【図１】
0005259156.tif 000002
【図２】
0005259156.tif 000003
【図３】
0005259156.tif 000004
【図４】
0005259156.tif 000005
【図５】
0005259156.tif 000006